(57)【特許請求の範囲】
【請求項１】
使用者に装着される電気音響変換装置において、
相手との間で通話が可能な電話機能部と時刻を計時し計時した時刻を表示する時計機能部とが設けられた携帯電話本体と、
この携帯電話本体を使用者の身体の腕または頭部に装着させるバンド部材と、
このバンド部材を互いに着脱可能に連結する連結部と、
使用者の音声が入力されるマイク部と、
前記バンド部材の各先端に備えられたスピーカ部と、
このスピーカ部を左右の耳の位置にそれぞれ固定するように耳に掛ける耳掛部と、
を備えていることを特徴とする電気音響変換装置。
【請求項２】
請求項１に記載の電気音響変換装置において、更に、
外部から配信された音楽データである被放音データを受信する受信部と、
この受信部により受信された前記被放音データに従って、前記スピーカ部を駆動制御して外部に音響を放音再生させる放音再生制御部と、
を設けたことを特徴とする電気音響変換装置。
【請求項３】
使用者に装着される耳装着型電子装置において、
相手との間で通話が可能な電話機能部と時刻を計時し計時した時刻を表示する時計機能部とが設けられた携帯電話本体と、
この携帯電話本体を使用者の身体の腕または頭部に装着させるバンド部材と、
このバンド部材を互いに着脱可能に連結する連結部と、
使用者の音声が入力されるマイク部と、
前記バンド部材の各先端に備えられたスピーカ部と、
このスピーカ部を左右の耳の位置にそれぞれ固定するように耳に掛ける耳掛部と、
を備えていることを特徴とする耳装着型電子装置。
【請求項４】
請求項３に記載の耳装着型電子装置において、
前記時計機能部は、時刻を計時する計時手段と、この計時手段により計時された時刻を表示する時刻表示手段とを備えたことを特徴とする耳装着型電子装置。
【請求項５】
請求項３に記載の耳装着型電子装置において、更に、
電話モードと再生モードとのいずれか一方のモードの設定を行うモード設定手段と、
このモード設定手段により電話モードが設定されている際は、前記通話手段により相手との間での通話が可能となり、前記モード設定手段により再生モードが設定されている際は、前記再生手段により外部に音響の放音再生が可能となるように制御する制御手段と、
を備えたことを特徴とする耳装着型電子装置。
【発明の詳細な説明】
【０００１】
【発明の属する技術分野】
本発明は、電気音響変換装置及び耳装着型電子装置に関する。
【０００２】
【従来の技術】
近年、半導体メモリの小型可搬化（カード化）、記録容量の増加が進んでいる。このため、上述のカード型の半導体メモリを利用した、より小型の携帯型のオーディオプレーヤや、携帯電話、携帯型ゲーム端末、携帯情報端末等が開発されている。
【０００３】
【発明が解決しようとする課題】
しかしながら、様々な種類の携帯機器を持ち歩いて使用する場合は、各機器を夫々個別に操作しなければならず煩わしい。例えば、携帯電話の使用者が携帯型オーディオプレーヤを持ち歩くことが考えられる。携帯型オーディオプレーヤで音楽を聴取しているときに携帯電話の着信がある場合は、一旦オーディオプレーヤの再生を停止した後、携帯電話を手に取り着信に応答するための操作を行って、通話を開始する。また、通話が終了すれば、携帯電話をしまった後オーディオプレーヤを取り出して再生を再開させる操作を行い、音楽の聴取を再開する。
【０００４】
このように、複数の携帯機器を同時に持ち歩いて使用する場合は、その扱いが煩雑で使い勝手がよくなかった。更に、荷物を手に持っている場合や車の運転中のように、両手がふさがっていれば携帯機器をすぐに取り出せず、操作できない場合や、使用できない場合がある。
【０００５】
そこで本発明の課題は、手に持たずに通話可能な電気音響変換装置及び耳装着型電子装置を提供することである。
【０００８】
【課題を解決するための手段】
本発明は、このような課題を達成するために、次のような特徴を備えている。なお、次に示す手段の説明中、括弧書きにより実施の形態に対応する構成を１例として例示する。符号等は、後述する図面参照符号等である。
【０００９】
請求項１記載の発明に係る電気音響変換装置は、
使用者に装着される電気音響変換装置において、
相手との間で通話が可能な電話機能部と時刻を計時し計時した時刻を表示する時計機能部とが設けられた携帯電話本体（１Ａ）と、
この携帯電話本体（１Ａ）を使用者の身体の腕または頭部に装着させるバンド部材（１Ｂ，１Ｂ）と、
このバンド部材を互いに着脱可能に連結する連結部（１Ｄ；Ｄａ、１Ｄｂ）と、
使用者の音声が入力されるマイク部（１Ｃ）と、
前記バンド部材の各先端に備えられたスピーカ部（１Ｅ，１Ｅ）と、
このスピーカ部（１Ｅ，１Ｅ）を左右の耳の位置にそれぞれ固定するように耳に掛ける耳掛部（１Ｆａ，１Ｆｂ）と、
を備えていることを特徴とする。
【００１０】
この請求項１記載の発明によれば、各耳掛部を耳に掛けて携帯電話本体を使用者の身体の頭部に装着させた場合には、使用者の音声をマイク部から入力することができ、また、相手先の音声をバンド部材の各先端に備えられたスピーカ部から聞くことができる。このために、相手との間で通話を可能とする。
【００１１】
従って、一つの機器に携帯電話としての機能とを搭載したので、同時に持ち歩く携帯機器の個数を抑えることができる。また耳に装着するため手に持たずに通話でき、車の運転中や荷物を多くもっていて両手がふさがっている場合に有効である。
【００１３】
この請求項１記載の発明によれば、そればかりでなく、連結部同士でバンド部材を互いに連結して、時計機能部が設けられた携帯電話本体を使用者の身体の腕に装着させた場合には、携帯電話本体に設けられた時計機能部の表示上の時刻を手元で見ることを可能とする。
【００１４】
従って、携帯電話としての機能としても時計としての機能としても使用することが可能となる。
【００１５】
請求項２記載の発明は、請求項１に記載の電気音響変換装置において、更に、
外部から配信された音楽データである被放音データを受信する受信部（例えば、図４に示す通信Ｉ／Ｆ部９）と、
この受信部により受信された前記被放音データに従って、前記スピーカ部を駆動制御して外部に音響を放音再生させる放音再生制御部（例えば、図４に示すＣＰＵ２、音楽データ復号器１３、音声出力部１４）と、を設けたことを特徴としている。
【００１６】
この請求項２記載の発明によれば、受信部によって外部から配信された音楽データである被放音データを受信し、放音再生制御部によって、受信された前記被放音データに従って、前記スピーカ部を駆動制御して外部に音響を放音再生させる。
【００１７】
従って、所望の音楽データを容易に取得して音響として聴取することができる。
【００１８】
請求項３記載の発明に係る耳装着型電子装置は、
使用者に装着される耳装着型電子装置において、
相手との間で通話が可能な電話機能部と時刻を計時し計時した時刻を表示する時計機能部とが設けられた携帯電話本体（１Ａ）と、
この携帯電話本体（１Ａ）を使用者の身体の腕または頭部に装着させるバンド部材（１Ｂ，１Ｂ）と、
このバンド部材を互いに着脱可能に連結する連結部（１Ｄ；Ｄａ、１Ｄｂ）と、
使用者の音声が入力されるマイク部（１Ｃ）と、
前記バンド部材の各先端に備えられたスピーカ部（１Ｅ，１Ｅ）と、
このスピーカ部（１Ｅ，１Ｅ）を左右の耳の位置にそれぞれ固定するように耳に掛ける耳掛部（１Ｆａ，１Ｆｂ）と、
を備えていることを特徴とする。
【００１９】
請求項３記載の発明によれば、各耳掛部を耳に掛けて携帯電話本体を使用者の身体の頭部に装着させた場合には、使用者の音声をマイク部から入力することができ、また、相手先の音声をバンド部材の各先端に備えられたスピーカ部から聞くことができる。このために、相手との間で通話を可能とする。
【００２０】
従って、一つの機器に携帯電話としての機能とを搭載したので、同時に持ち歩く携帯機器の個数を抑えることができる。また耳に装着するため手に持たずに通話でき、車の運転中や荷物を多くもっていて両手がふさがっている場合に有効である。
請求項３記載の発明によれば、そればかりでなく、連結部同士でバンド部材を互いに連結して、時計機能部が設けられた携帯電話本体を使用者の身体の腕に装着させた場合には、携帯電話本体に設けられた時計機能部の表示上の時刻を手元で見ることを可能とする。
【００２１】
請求項４記載の発明は、請求項３に記載の耳装着型電子装置において、前記時計機能部は、時刻を計時する計時手段（例えば、図４に示す計時部１２）と、この計時手段により計時された時刻を表示する時刻表示手段（例えば、図２〜図４に示す表示部４）と、を備えたことを特徴としている。
【００２２】
この請求項４記載の発明によれば、請求項３に記載の耳装着型電子装置において、計時手段によって時刻を計時し、時刻表示手段によって、計時された時刻を表示する。
【００２３】
従って、携帯電話としての機能のほかに耳装着型電子装置を時計として使用することも可能となる。
【００２４】
請求項５記載の発明は、請求項３に記載の耳装着型電子装置において、更に、電話モードと再生モードとのいずれか一方のモードの設定を行うモード設定手段（例えば、図２〜図３に示すモードスイッチ３ａ〜３ｃ）と、このモード設定手段により電話モードが設定されている際は、前記通話手段により相手との間での通話が可能となり、前記モード設定手段により再生モードが設定されている際は、前記再生手段により外部に音響の放音再生が可能となるように制御する制御手段（例えば、図４に示すＣＰＵ２；図６のＳ１〜Ｓ４）と、を備えたことを特徴としている。
【００２５】
請求項５記載の発明によれば、モード設定手段によって電話モードと再生モードとのいずれか一方のモードの設定を行い、モード設定手段により電話モードが設定されている際は、前記通話手段により相手との間での通話が可能となり、前記モード設定手段により再生モードが設定されている際は、前記再生手段により外部に音響の放音再生が可能となるように制御手段によって制御する。
【００２６】
従って、容易かつ迅速に電話モードと再生モードを切り替え、設定されたモードに応じて電話機能或いは音響再生機能を使用できる。
【００４７】
【発明の実施の形態】
以下、図を参照して本発明に係る電気音響変換装置、耳装着型電子装置、及び放音再生システムの実施の形態を説明する。
【００４８】
〔第１の実施の形態〕
本発明に係る電気音響変換装置及び耳装着型電子装置の一実施の形態として、ヘッドホン型携帯電話１について説明する。
【００４９】
まず、構成を説明する。
図１はヘッドホン型携帯電話１を耳に装着して使用する際の使用状態例、及びヘッドホン型携帯電話１と外部機器との通信の様子を模式的に示す図であり、図２はヘッドホン型携帯電話１を腕時計として使用する際の外観を示す図であり、図３はヘッドホン型携帯電話１を身体から外した際の使用状態例を示す図であり、図４はヘッドホン型携帯電話１及びコンテンツ配信センターＨＳに設置されたホストサーバー３０の構成を示すブロック図であり、図５（Ａ）はヘッドホン型携帯電話１の内部ＲＡＭ７のメモリ構成、図５（Ｂ）はヘッドホン型携帯電話１の外部ＲＡＭ８のメモリ構成を示す図である。
【００５０】
図１〜図３に示すように、本実施の形態におけるヘッドホン型携帯電話１は、回路基板を内蔵した携帯電話本体１Ａと、携帯電話本体１Ａを使用者の身体（腕または頭部）に装着させるバンド部材（以下、バンド部１Ｂ，１Ｂと呼ぶ。）と、このバンド部１Ｂ，１Ｂを互いに着脱可能に連結するバックル部１Ｄ（バックル雌部１Ｄａ及びバックル雄部１Ｄｂを含む）と、を備えている。更に、携帯電話本体１Ａはマイク部１Ｃを収納するマイク収納部１Ｃ’を備え、通話する際はマイク収納部１Ｃ’に収納されているマイク部１Ｃを引き出して使用する。またバンド部１Ｂ，１Ｂの先端には夫々スピーカ部１Ｅ，１Ｅが備えられ、各バックル部１Ｄａ，１Ｄｂには、スピーカ部１Ｅ，１Ｅを左右の耳の位置に夫々固定するように耳に掛ける耳掛部１Ｆａ，１Ｆｂが設けられている。
【００５１】
バンド部１Ｂ，１Ｂは湾曲させるように変形することが可能である。図１に示すようにバックル雄部１Ｄｂとバックル雌部１Ｄａとを連結せずに、バンド部１Ｂ，１Ｂの各耳掛部１Ｆａ，１Ｆｂを左右の耳に掛け携帯電話本体１Ａが使用者の後頭部または頭頂部に懸架するようにスピーカ部１Ｅ，１Ｅを耳に当てた状態で使用したり、図２に示すようにバンド部１Ｂを湾曲させてバックル雄部１Ｄｂとバックル雌部１Ｄａとを連結することにより、手首や二の腕等へ巻き付けて使用したり、図３に示すようにバンド部１Ｂを自然に平面状に伸ばして、片手に持って使用することが可能である。
【００５２】
携帯電話本体１Ａの表側には、時刻や各種データを表示する表示部４、携帯電話本体１Ａ内部に通信用アンテナが収容された部位であるアンテナ部１０、及び再生する音楽データまたは書籍データを選択する際に操作されるカーソルスイッチ３ｅ，３ｆ、音楽の再生／停止を指示する際に操作されるプレイスイッチ３ｇ及びストップスイッチ３ｈ、及び音量調節する際に操作される音量調節スイッチ３ｉ，３ｊを設けている。
【００５３】
また、携帯電話本体１Ａの上側には、外部ＲＡＭ８として使用されるメモリカードを収納するためのメモリカード収納部８ａが設けられている。また、その右側面にはメモリカード収納部８ａの蓋部８ｂが設けられる。蓋部８ｂは、前記メモリカードの脱落を防止するとともに、メモリカード収納部８ａへ前記メモリカードを装着または離脱できるよう、手で簡単に開閉できる。この蓋部８ｂを開くことによってメモリカード８の着脱を可能とする。この収納部８ａの内部には、メモリカードを正しい位置に収納した状態でメモリカード側に設けられたデータ読み書き電極と接する位置にデータ読み書き用の端子が設けられており、後述するＣＰＵ２によって当該電極を介するメモリカードへのデータの読み書きが制御される。
【００５４】
また、携帯電話本体１Ａの右側面には、モードを設定する際に押圧操作されるモードスイッチ３ａ，３ｂ，３ｃが設けられており、各モードスイッチ３ａ，３ｂ，３ｃには、それぞれ電話モード、時計モード、及び再生モードが割当てられている。
【００５５】
また、携帯電話本体１Ａの左側面には、登録されている電話番号データや表示部４に選択可能に一覧表示されるデータを選択及び確定する際に操作される回転スイッチ部１１が設けられている。この回転スイッチ部１１は、使用者の指（例えば親指３１０）によって操作され、回転操作及び押圧操作を行うことが可能である。回転操作では、その回転操作方向（上下方向）に連動して、表示部４に表示される電話番号一覧や選択項目一覧をスクロールしたり、反転表示項目を変更することができ、押圧操作では、電話番号や項目の選択を確定することができる。
【００５６】
また、携帯電話本体１Ａの左側下部には、イヤホンのプラグ２０Ａを接続するためのイヤホンジャック１Ｇが備えられている。
【００５７】
バンド部１Ｂには、その表面に「０」〜「９」の数値や文字を入力するためのデータ入力キー、通話を開始するためのダイヤルスイッチ、回線の接続を終了するための通話終了スイッチ、各種操作を入力操作するためのファンクションキー等が設けられたダイヤル部３ｄが設けられる。
【００５８】
バンド部１Ｂ内部には、ダイヤル部３ｄに設けられた各種キー及びスイッチの押下操作信号を、携帯電話本体１Ａ内部に設けられたＣＰＵ２に伝送するための配線がなされている。
【００５９】
上述のように外観構成されるヘッドホン型携帯電話１は、音楽データまたは書籍データ（以下、コンテンツデータと呼ぶ）に従って、被放音データ（音楽または音声）をスピーカ部１Ｅから外部に放音する再生機能（再生モード）と、現在時刻や時間、日付等のカレンダーデータを計時して表示部４に表示させる時計機能（時計モード）と、所望の相手先との通話やコンテンツデータをダウンロードするといったデータ通信を行うことが可能な電話機能（電話モード）とを備える。
【００６０】
再生機能を使用する場合は、例えば図１に示すように二つのスピーカ部１Ｅ，１Ｅを使用者の左右の耳にあてがうように装着して使用する。電話機能を使用する場合は、更にマイク部１Ｃをマイク収納部１Ｃ’から口元まで引き出して使用する。時計機能を使用する場合は、例えば図２に示すようにバンド部１Ｂ，１Ｂを使用者の腕に巻き付けてバックル部１Ｄで連結し、腕に装着して使用する。また、相手に電話をかける際は、例えば図３に示すようにバックル部１Ｄを離脱させて使用者の片手で保持し、他方の手の指でダイヤル部３ｄを操作して電話番号を入力する。或いは回転スイッチ部１１を操作して登録されている電話番号データの中から所望の電話番号を選択、確定する。
【００６１】
電話モードにおいて、図１に示すように、移動体通信網の基地局４３を介して他の移動体通信端末４４と通話を行ったり、公衆回線網等のネットワーク４０を介して外部の電話端末と通話を行うことができる。また、ネットワーク４０を介してアクセス可能なサーバ３０（コンテンツ配信センターＨＳに設置されている）に接続し、所望のコンテンツデータをダウンロードすることも可能である。また、ＣＤショップや書店、コンビニエンスストアに設置されたデータ配信端末４２と有線または無線で接続し、所望のコンテンツデータの配信を受けることも可能である。
【００６２】
再生モードにおいて、携帯電話本体１Ａのメモリカード収納部８ａに収納されているメモリカード８に格納されているコンテンツデータを再生し、スピーカ部１Ｅ，１Ｅから放音される音響を聴取できる。コンテンツデータのうち音楽データについては後述する音楽データ復号器１３において復号再生し、音声出力部１４において音楽信号を音響に変換してスピーカ部１Ｅ，１Ｅから出力する。書籍データについては後述する読み上げ音声生成部１６において音声合成処理を行って、読み上げ音声（朗読）を生成し、音声出力部１４において音声信号を音声（音響）に変換してスピーカ部１Ｅ，１Ｅから出力する。表示部４には再生中のコンテンツデータについての関連データ（曲名、アーティスト名、歌詞、演奏時間、書籍名、著作者名、出版社名等）が表示される。
【００６３】
時計モードにおいて、ヘッドホン型携帯電話１は、計時部１２において時刻を計時し、表示部４に表示する。
【００６４】
次に図４を参照して、ヘッドホン型携帯電話１の回路構成、コンテンツ配信センターＨＳに設置されたホストサーバー３０の回路構成について説明する。
【００６５】
図４に示すように、ヘッドホン型携帯電話１はＣＰＵ（Central Processing Unit）２、入力部３、表示部４、表示駆動回路５、ＲＯＭ（Read Only Memory）６、内部ＲＡＭ（Random Access Memory）７、外部ＲＡＭ（記憶媒体；メモリカード）８、通信Ｉ／Ｆ部９、アンテナ部１０、回転スイッチ部１１、計時部１２、音楽データ復号器１３、音声出力部１４、音声入力部１５、及び読み上げ音声生成部１６から構成される。
【００６６】
コンテンツ配信センターＨＳに設置されるホストサーバー３０は、図４に示すように、音楽データまたは書籍データのいずれか一方を含むコンテンツデータ、及びコンテンツデータに関連する情報（曲名、歌手名、歌詞、書籍名、出版社、著作者名）である関連データを複数記憶している音楽・書籍データＲＯＭ３２と、通信接続された電話端末（ヘッドホン型携帯電話１を含む）から要求された音楽データや関連データをその要求元に配信する配信部３３と、複数の電話端末間で各種データを転送する転送部３４と、音楽・書籍データＲＯＭ３２に記憶されている音楽データや書籍データやその関連データを要求先へ送信するよう制御するＣＰＵ３１とから構成される。
【００６７】
ここで音楽・書籍データＲＯＭ３２に記憶されている音楽データは、例えば、ＰＣＭ（Pulse Code Modulation；パルス符号変調）データ等の波形符号化された音楽データである。高品位な音質を提供すると同時に、効率よくダウンロードして通信コストやトラフィックを軽減できるよう、圧縮符号化されて蓄積されていることが好ましい。例えば、ＭＰ３（MPEG1 Audio Layer III）等の聴覚特性を利用した圧縮符号化方式が用いられる。
【００６８】
また、音楽・書籍データＲＯＭ３２に記憶されている書籍データは、書籍に含まれる文字データ、擬音データ、読み上げ音声再生用データを含む。読み上げ音声再生用データとは、後述する読み上げ音声生成部１６において読み上げ音声データを生成する際に必要な各種データである。例えば、擬音（爆発音や風音等）の再生情報や、登場人物の音声タイプを設定した登場人物別音声テーブル等を含む。
【００６９】
ヘッドホン型携帯電話１のＣＰＵ２は、入力部３から供給されるキー操作信号に基づき、ＲＯＭ６の所定の記憶領域に格納されている各種制御プログラムを読み出して内部ＲＡＭ７に一時格納し、当該プログラムに基づく各種処理を実行してヘッドホン型携帯電話１の各部を集中制御する。すなわち、ＣＰＵ２は、前記読み出した所定プログラムに基づいて各種処理を実行し、その処理結果を内部ＲＡＭ７に格納するとともに、表示駆動回路５において当該処理結果に基づいて表示データを生成し表示部４に表示させる。
【００７０】
また、ＣＰＵ２はモードスイッチ３ａ，３ｂ，３ｃのいずれかの押下操作に応じて、電話モード、時計モード、或いは再生モードに対応する処理プログラムをＲＯＭ６から読み出し、各モードに対応した処理を実行する。例えば、電話処理（その１）（図７参照）、電話処理（その２）（図８参照）、時計処理（図９参照）、コンテンツデータ選択処理（図１０参照）、コンテンツデータのダウンロード・着信時の音楽再生設定処理（図１２参照）、再生処理（図１７参照）等を実行する。
【００７１】
入力部３は、電話モード、時計モード、及び再生モードにモードを切り替える際に押圧操作されるモードスイッチ３ａ、３ｂ，３ｃ、ダイヤル操作や各種処理の実行指示を入力操作するためのダイヤル部３ｄ、各種選択操作を入力するためのカーソルスイッチ３ｅ，３ｆや音楽データや書籍データの再生／停止を指示するプレイスイッチ３ｇ，ストップスイッチ３ｈ、及び音量調節スイッチ３ｉ，３ｊを備える。更に、音楽の早送りや巻き戻しを指示するスイッチを設けるようにしてもよい。また、前記ダイヤル部３ｄのファンクションキーには、予め設定されている番号へ自動発呼する際に操作されるオートダイヤルスイッチ３Ｓや確認の際に押下操作されるＯＫキー等が含まれる。オートダイヤルスイッチ３Ｓは、コンテンツ配信センターＨＳのホストサーバー３０にアクセスする際に押下操作されるスイッチであり、このオートダイヤルスイッチ３Ｓが押下操作されると、通信Ｉ／Ｆ部９に備えられた電話自動発信部によって自動的にホストサーバー３０へ回線を接続する。
【００７２】
表示部４は、ＬＣＤ（Liquid Crystal Display）等により構成され、ＣＰＵ２からの表示指示に従って表示駆動回路５において生成された表示データを表示する。例えば、時計モードにおいては現在時刻や日付、曜日等の時計情報を表示し、再生モードにおいては再生する音楽データや書籍データの関連データを表示し、電話モードでは、相手の電話番号や外部との通信接続状態、ダウンロード中のコンテンツデータの関連データ等を表示する。
【００７３】
ＲＯＭ６はヘッドホン型携帯電話１に対応する各種処理プログラムやデータ、各処理プログラムで処理されたデータ等を記憶する。処理プログラムとしてはモード設定処理（図６参照）、電話処理（その１）（図７参照）、電話処理（その２）（図８参照）、時計処理（図９参照）、コンテンツデータ選択処理（図１０参照）、コンテンツデータのダウンロード・着信時の音楽再生設定処理（図１２参照）、及び再生処理（図１７参照）に対応する各種処理プログラムがある。これらの各プログラムは、読み取り可能なプログラムコードの形態でＲＯＭ６に格納されており、ＣＰＵ２はこのプログラムコードにしたがった動作を逐次実行する。
【００７４】
また、ＲＯＭ６は書籍データを読み上げ音声データに変換するため、複数の音声波形データを蓄積した音声データＲＯＭ６Ａを備える。
【００７５】
音声データＲＯＭ６Ａには、読み上げ音声生成部１６の採用する音声合成方式に適した音声波形データ（アナログデータまたはＰＣＭ（Pulse Code Modulation）データ）が記憶されている。例えば、録音編集方式では人が発生した音声波形をそのまま、あるいは波形符号化して蓄積する。波形の単位は単語としても文節としてもよい。またパラメータ編集方式では人が発声した音声波形を分析してパラメータに変換された形で蓄積する。また、規則合成方式では文字列あるいは音素記号列から音声学的・言語学的規則に基づいて切りだされた音節、音素、１ピッチ間の波形のような基本的な小さな単位の特徴パラメータを蓄積する。また、人間の音声以外にも動物の泣き声や自然界に存在する音（風音、爆発音等；擬音）の波形データを蓄積している。
【００７６】
読み上げ音声生成部１６は、書籍データのテキスト（文字）部分を音声データに変換するため、例えば、規則合成方式を用いたテキスト音声合成システムによって構成される。規則合成方式を用いたテキスト音声合成システムは、文章解析部と音声合成規則部と音声合成部とにより構成される。
【００７７】
文章解析部は単語を複数記憶した辞書を備える。辞書には読み仮名、文法情報、アクセント等の情報が蓄えられている。ここでは文章中の単語の文法的接続関係をチェック（構文解析）しながら、文章の頭から順に辞書に登録されている単語と照合を取り、単語の系列に区分化し、区分化された単語について読み仮名、文法情報、アクセント等の情報を取得する。
【００７８】
音声合成規則部は、語の連なりによって生じる語の連濁、鼻音化、無声化等の読みの変化（音韻規則）や、アクセントの移動、消失、生起といった変化（韻律規則）を解析し、発音記号とアクセントを決定して音声合成制御パラメータを決定する。音声合成制御パラメータは例えば文節のまとまりやポーズ（間）といった合成単位（ＣＶＣ単位等）や声の高さ、ストレス、イントネーションである。
【００７９】
こうして音声合成の制御パラメータが定まると、音声合成部はＲＯＭ６の音声データＲＯＭ６Ａに蓄えられている合成単位と制御パラメータとに基づいて音声波形を合成する。
【００８０】
更に、書籍データはストーリーの登場人物別または朗読者別に音声タイプを予め設定している登場人物別音声テーブルを持ち、音声合成時には前記決定された音声合成制御パラメータと合わせて登場人物または朗読者に応じた音声タイプに応じた音声を合成する。登場人物別音声テーブルには、例えば登場人物の性別や年齢に応じた声の高さ、ストレス、イントネーションといったパラメータが設定される。また、書籍データを読み上げる朗読者に応じた声の高さ、ストレス、イントネーション等のパラメータが設定される。
【００８１】
図５（Ａ）は内部ＲＡＭ７のメモリ構成、図５（Ｂ）は外部ＲＡＭ８のメモリ構成を説明する図である。
内部ＲＡＭ７は、指定された処理プログラム、入力指示、入力データ及び処理結果等を一時格納するワークメモリの他、図５（Ａ）に示すように表示レジスタ７ａ、モードデータメモリ７ｂ、コンテンツデータＮｏ．メモリ７ｃ、コンテンツデータメモリ７ｄ、関連データメモリ７ｅ、送信者ＩＤメモリ７ｆ、ダイヤルデータメモリ７ｇ、計時レジスタ７ｈ、着信音楽設定データメモリ７ｉ、及び着信レジスタ７ｊを有する。
【００８２】
表示レジスタ７ａには、表示駆動回路５において生成される表示部４に表示するための表示データが確保される。
【００８３】
モードデータメモリ７ｂには、モードスイッチキー３ａ，３ｂ，３ｃの操作によって設定されたモード設定データを格納する。ヘッドホン型携帯電話１において選択可能なモードには、電話モード、時計モード、及び再生モードがある。上記３つのモードのうち何れかのモードに対応するモードスイッチ３ａ，３ｂ，３ｃが押下操作されると、ＣＰＵ２は押下されたスイッチに対応するモードを内部ＲＡＭ７のモードデータメモリ７ｂに設定し、モードに対応する処理プログラムをＲＯＭ６から読み出して実行開始する。
【００８４】
コンテンツデータＮｏ．メモリ７ｃには、再生するために選択されたコンテンツデータの固有の番号であるコンテンツデータＮｏ．を格納している。また、コンテンツデータメモリ７ｄには、選択されたコンテンツデータＮｏ．に対応するコンテンツデータが外部ＲＡＭ８から読み出されて確保されている。更に、関連データメモリ７ｅには、選択されたコンテンツデータに対応する関連データが記憶される。
【００８５】
送信者ＩＤメモリ７ｆには、自己のヘッドホン型携帯電話１の送信者ＩＤが記憶される。送信者ＩＤは、例えばホストサーバー３０から与えられるＩＤコードや登録コード、または個々のヘッドホン型携帯電話１に個別に付与されている個別コード（シリアルナンバー等）である。音楽データをダウンロードする際に、ダウンロードを要求するデータとともに送信者ＩＤを通信Ｉ／Ｆ部９から送信する。
【００８６】
ダイヤルデータメモリ７ｇには、登録された電話番号データが複数記憶されている。例えば、コンテンツ配信センターＨＳへ通信接続するための電話番号データや、頻繁に通話する友人や取引先等の相手の電話番号データが登録されて記憶されている。電話番号に対応づけて氏名や住所、会社名等のデータを登録するようにしてもよい。
【００８７】
計時レジスタ７ｈには、計時部１２において計時される時間データや日付データが、逐次更新記憶される。
【００８８】
着信音楽設定データメモリ７ｉには、コンテンツデータのダウンロード・着信時の音楽再生設定処理において、着信音楽として設定された音楽データのＮｏ．が記憶される。
【００８９】
着信レジスタ７ｊには、音楽データや書籍データの再生中に電話を着信した場合に、データの再生を停止した位置についての情報が記憶される。
【００９０】
図５（Ｂ）は外部ＲＡＭ８のメモリ構成を説明する図である。
外部ＲＡＭ８には、不揮発性の半導体メモリにより構成される小型・可搬のメモリカードが使用される。そして外部ＲＡＭ８には、音楽データや書籍データのいずれかを含むコンテンツデータを複数記憶する領域であるコンテンツデータメモリ８ａ及び関連データを記憶する領域である関連データメモリ８ｂが設定されている。
【００９１】
外部ＲＡＭ８に記憶されているコンテンツデータ及び関連データは、例えば、インターネット４０を介してアクセス可能なコンテンツ配信センターＨＳから通信Ｉ／Ｆ部９を介してダウンロードしたものや、パーソナルコンピュータ（以下、ＰＣと呼ぶ）等の外部機器を利用して書き込まれるものである。外部ＲＡＭ８に記憶されているコンテンツデータの中から、所望の音楽を選択して再生したり、着信音楽として設定したり、所望の書籍を選択して読み上げ音声を再生することができる。
【００９２】
通信Ｉ／Ｆ部９は、通話音声データを変調、復調する変調／復調回路等により構成され、音声入力部１５から入力された音声ディジタルデータを携帯電話の通信方式に適合するように変調し、アンテナ部１０を介して基地局へ送信する。また、通信Ｉ／Ｆ部９は基地局から送信された着信信号をアンテナ部１０により受信すると、ＣＰＵ２に着信検出信号を与え、受信した音声データを復調して音声出力部１４へ渡す。音声出力部１４では復調された音声ディジタルデータをＤ／Ａコンバータにより音声アナログデータに変換して増幅器を介してスピーカ部１Ｅから音声として出力する。また、コンテンツ配信センターＨＳにアクセスして所望のコンテンツデータをダウンロードするために各種データを送受信する。アンテナ部１０において電話の着信を検出すると着信検出信号をＣＰＵ２へ出力する。
【００９３】
ＣＰＵ２は、通信Ｉ／Ｆ部９において電話の着信を検出した後に、ダイヤル部３ｄに設けられたダイヤルスイッチが操作されると、通話処理を開始する。また、使用者によりダイヤル部３ｄが操作され、通話する相手先が指示されるとその相手先に対して発呼信号を送信し、相手の応答があると通話処理を開始する。
【００９４】
また、ダイヤル部３ｄに設けられたオートダイヤルスイッチ３Ｓが操作されると、通信Ｉ／Ｆ部９の電話自動発信部はコンテンツ配信センターＨＳに設置されているホストサーバー３０へ自動的に回線を接続し、各種データを送信する。またホストサーバー３０から送信される各種データを自動的に受信する。
【００９５】
回転スイッチ部１１は、使用者の指（例えば親指３１０）によって操作され、図２中、上下方向へ回転させる回転操作と、携帯電話本体１Ａ側へ押圧する押圧操作とが可能である。回転操作では、その回転操作方向（上下方向）に連動して、表示部４の表示画面をスクロールしたり、反転表示位置を移動することができ、押圧操作では反転表示項目の選択を確定することができる。
【００９６】
計時部１２は、時刻や日付を計時し、計時された時刻等は、ＣＰＵ２を介して内部ＲＡＭ７の計時レジスタ７ｈに送られて順次更新セットされる。例えば、所定周波数の電気信号を発振する発振回路と該発振回路からの信号を分周して所定周波数の信号を得る分周回路とから構成され、その信号をカウントすることによって現在時刻を計時する構成とする。
【００９７】
音楽データ復号器１３は、音楽データに対応した復号化方式で復号化処理するためのオーディオ復号化回路により構成される。音楽データ復号器１３において復号化処理されたオーディオ信号は音声出力部１４において所定の音声処理を施され、音響に変換されてスピーカ部１Ｅ，１Ｅから出力される。
【００９８】
音声出力部１４はＤ／Ａコンバータ、ＬＰＦ、及び増幅器等により構成される。通話時は、通信Ｉ／Ｆ部９において受信する相手の通話音声データをＤ／Ａ変換し、音声信号を増幅器により所定の音量に増幅してスピーカ部１Ｅから音声として出力する。また、音楽再生時は音楽データ復号器１３において復号されたディジタルオーディオデータを、Ｄ／Ａコンバータによりアナログオーディオ信号（Ｌ／Ｒ）に変換して、ＬＰＦにより所定周波数以上の周波数成分をカットしてノイズを除去し、増幅器において所定の音量に増幅して左右のスピーカ部１Ｅ，１Ｅから音響として出力する。また、書籍データの読み上げ音声再生時は、読み上げ音声生成部１６において生成された読み上げ音声データをＤ／Ａコンバータによりアナログ音声信号に変換して、ＬＰＦにより所定周波数以上の周波数成分をカットしてノイズを除去し、増幅器において所定の音量に増幅してスピーカ部１Ｅから読み上げ音声として出力する。
【００９９】
音声入力部１５は、Ａ／Ｄコンバータ等によって構成され、マイク部１Ｃから入力される使用者の音声信号（アナログ信号）をデジタル信号に変換して、ＣＰＵ２に出力する。
【０１００】
次に動作を説明する。
本実施の形態のヘッドホン型携帯電話１は、モード設定処理において設定される各種モードに応じた処理を実行するが、通常は、計時部１２において現在時刻を常に計時している。また、モードスイッチ３ａ，３ｂ，３ｃの押下操作を待機している。
【０１０１】
図６はモード設定処理を説明するフローチャートである。
ヘッドホン型携帯電話１は、モードスイッチ３ａ，３ｂ，３ｃのいずれかの押下操作を待機しており、モードスイッチ３ａ，３ｂ，３ｃのいずれかが押下されると、ＣＰＵ２はモード設定処理を開始する。
【０１０２】
ＣＰＵ２は押下されたモードスイッチの種類を判別する（ステップＳ１）。ここで、電話モードに対応するモードスイッチ３ａが操作されたと判断した場合は、後述する電話処理を実行する（ステップＳ２）。また、時計モードに対応するモードスイッチ３ｂが操作されたと判断した場合は、後述する時計処理を実行する（ステップＳ３）。再生モードに対応するモードスイッチ３ｃが操作されたと判断した場合は、後述する再生処理を実行する（ステップＳ４）。
【０１０３】
以下、電話モードにおける電話処理、時計モードにおける時計処理、所望のコンテンツデータを選択してダウンロードする処理、再生モードにおける再生処理についてそれぞれ説明する。
【０１０４】
（電話処理）
まず、図７に示すフローチャートを参照して相手先へ発信する際に実行される電話処理（その１）を説明する。図７は電話処理（その１）を説明するフローチャートである。
【０１０５】
ヘッドホン型携帯電話１を用いて、相手先へ電話をかけ、通話する際は、まず、ヘッドホン型携帯電話１を図３に示すように片手で保持し、電話モードスイッチ３ａを押下操作する（ステップＡ１；Ｙｅｓ）。
【０１０６】
そして、ダイヤル部３ｄの操作によって電話番号が入力され、または、回転スイッチ部１１の操作によって、内部ＲＡＭ７のダイヤルデータメモリ７ｇに記憶されている電話番号データの中から所望の通話相手が選択され、あるいは、オートダイヤルスイッチ３Ｓの操作によってコンテンツ配信センターＨＳへのダイヤル接続が指示され、その後、ダイヤルスイッチが押下操作されると（ステップＡ２；Ｙｅｓ）、通信Ｉ／Ｆ部９は、入力または選択された電話番号へ発信する（ステップＡ３）。相手先で電話に応答するまでの間に耳掛部１Ｆａ，１Ｆｂを両耳に掛けてスピーカ部１Ｅ，１Ｅを両耳にあてがい、マイク部１Ｃを口元まで引き出す。
【０１０７】
そして、相手先またはコンテンツ配信センターＨＳへダイヤル接続されると（ステップＡ４；Ｙｅｓ）、通話処理を実行する（ステップＡ５）。
【０１０８】
相手先への通話処理では、マイク部１Ｃから入力される使用者の音声信号（アナログ信号）を音声入力部１５においてデジタル信号に変換し、通信Ｉ／Ｆ部９から通話相手に送信し、相手の通話音声データを通信Ｉ／Ｆ部９において受信してＣＰＵ２に出力し、音声出力部１４において音声に変換し、スピーカ部１Ｅから放音する。また、ＣＰＵ２は、相手先の電話番号等の通話関連情報を表示部４に表示させる。
【０１０９】
コンテンツ配信センターＨＳへの通話処理では、後述するコンテンツデータ選択処理（図１０参照）、及び後述するコンテンツデータのダウンロード・着信時の音楽再生設定処理（図１２参照）を実行する。
【０１１０】
また、ヘッドホン型携帯電話１を時計モードや再生モードで使用している状態で、相手側からの呼び出しを着信すると、図８に示す電話処理（その２）を開始する。図８は、相手側からの呼び出しを着信する際に実行される電話処理（その２）を説明するフローチャートである。
【０１１１】
アンテナ部１０において電話の着信を検出し、着信検出信号がＣＰＵ２に出力されると（ステップＡ１０；Ｙｅｓ）、現在、音楽データまたは書籍データの再生中であるか否かを判断する（ステップＡ１１）。音楽データまたは書籍データの再生中である場合は（ステップＡ１１；Ｙｅｓ）、ＣＰＵ２は再生を停止させる（ステップＡ１２）。このときＣＰＵ２は音楽データまたは書籍データの停止位置を内部ＲＡＭ７の着信レジスタ７ｊに記憶する（ステップＡ１３）。更にＣＰＵ２は着信を報知するよう制御する。着信の報知は、例えば所定の着信音（内部ＲＡＭ７の着信音楽設定データメモリ７ｉに設定されている音楽データ、または予め設定されている音楽や音）やメッセージ音声（ＲＯＭ６にメッセージ音声データが格納されている）による報知、或いはバイブレータ等を用いた振動による。また、表示部４に着信のメッセージを表示するようにしてもよい（ステップＡ１４）。
【０１１２】
その後、ダイヤルスイッチの押下操作により着信に応答すると、通話処理を開始する（ステップＡ１５）。そして、通話が終了すると（ステップＡ１６；Ｙｅｓ）、ＣＰＵ２は内部ＲＡＭ７の着信レジスタ７ｊから音楽データまたは書籍データの停止位置データを読み出し（ステップＡ１７）、停止位置から音楽データまたは書籍データの再生を再開させて通常の再生モードに戻り（ステップＡ１８）、電話処理（その２）を終了する。
【０１１３】
ステップＡ１１において、電話の着信時に音楽データまたは書籍データの再生中ではない場合は、ステップＡ１４と同様の方法で着信を報知し（ステップＡ１９）、ダイヤルスイッチの押下操作により着信に応答すると、通話処理を実行し（ステップＡ２０）、通話が終了すると（ステップＡ２１：Ｙｅｓ）、時計モードに戻り電話処理（その２）を終了する。
【０１１４】
以上説明したように、ヘッドホン型携帯電話１を電話モードに設定すると、電話処理（その１）を実行して、相手先との通話を可能とする。通話するときには、バックル部１Ｄを外して、ヘッドホン型携帯電話１を片手で保持し、ダイヤル部３ｄまたは回転スイッチ部１１を操作して所望のダイヤル番号の相手に電話をかける。通話中は耳掛部１Ｆａ，１Ｆｂを左右の耳にかけてスピーカ部１Ｅ，１Ｅを左右の耳にあて、かつマイク部１Ｃを口元まで引き出して、両手を開放した状態で通話できる。
【０１１５】
また、ヘッドホン型携帯電話１を再生モードで使用しているときに電話の着信があると電話処理（その２）を実行して、再生中の音楽データまたは書籍データの再生を停止して、着信を報知する。また、通話終了後は音楽または書籍の再生停止位置から再生を再開する。従って、再生中の音楽や書籍を停止させるための操作を省くことができ、迅速に着信に応答できる。
【０１１６】
なお、音楽データまたは書籍データの再生中に電話を着信した場合に、再生を一時停止する例を説明したが、一時停止させずに、通話の妨げにならない程度に音量を小さくして再生を続行し、通話が終了すると元の音量に戻すようにしてもよい。
【０１１７】
（時計処理）
次に、図９を参照して時計処理を説明する。
図９は、時計モードが設定された際に実行される時計処理を説明するフローチャートである。
【０１１８】
ヘッドホン型携帯電話１を用いて、現在の時刻や日時を表示部４に表示させる場合には、携帯電話本体１Ａの右側に設けられた時計モードスイッチ３ｂを押下操作し、時計モードを設定する（ステップＢ１；Ｙｅｓ）。
【０１１９】
ＣＰＵ２は、内部ＲＡＭ７のモードデータメモリ７ｂに時計モードを設定すると、計時部１２において計時されている現在時刻を参照し（ステップＢ２）、内部ＲＡＭ７の計時レジスタ７ｈに更新確保する（ステップＢ３）とともに、表示駆動回路５へ出力し、表示駆動回路５において日付や現在時刻等を表示するための表示データを生成して、内部ＲＡＭ７の表示レジスタ７ａに記憶するとともに、表示部４に表示する（ステップＢ４）。
【０１２０】
このように、モードスイッチ３ｂの簡単な押下操作で時計モードに瞬時に切替え、現在の時刻や日付を表示部４に表示させることができる。従って、ヘッドホン型携帯電話１を時計として使用できる。
【０１２１】
（コンテンツデータの選択処理〜ダウンロード処理）
次に、図１０〜図１６を参照して、所望のコンテンツデータ（音楽データまたは書籍データ）をコンテンツ配信センターＨＳからダウンロードする処理について説明する。
【０１２２】
図１０はコンテンツデータ選択処理を説明するフローチャートであり、図１１はコンテンツデータ選択処理において表示されるコンテンツ（音楽）選択画面４ａの例を示す図である。また、図１２はコンテンツデータのダウンロード・着信時の音楽再生設定処理を説明するためのフローチャートであり、図１３、図１４、図１５は、それぞれダウンロード要否画面４ｂの例、料金表示画面４ｃの例、着信音楽設定画面４ｄの例を示す図である。また、図１６は、所望のコンテンツデータを選択したりコンテンツデータをダウンロードする際に、ヘッドホン型携帯電話１とコンテンツ配信センターＨＳのホストサーバー３０とにおいて実行される処理の流れを説明するフローチャートである。
【０１２３】
音楽データや書籍データ等のコンテンツデータをダウンロードする際は、まず、図１０に示すコンテンツデータ選択処理を実行する。オートダイヤルスイッチ３Ｓが押下操作され、コンテンツ配信センターＨＳへ回線が接続されると、通信Ｉ／Ｆ部９は、自己のヘッドホン型携帯電話１の送信者ＩＤをコンテンツ配信センターＨＳへ送信する。コンテンツ配信センターＨＳでは送信者ＩＤを受信すると、配信可能なコンテンツデータに関する関連データを返信する。
【０１２４】
ヘッドホン型携帯電話１において、コンテンツ配信センターＨＳから配信可能なコンテンツデータについての関連データを受信すると、ＣＰＵ２は当該関連データを表示部４に一覧表示する。例えば図１１に示すようにコンテンツ（音楽）選択画面４ａを表示する（ステップＣ１；図１１参照）。
【０１２５】
図１１に示すように、コンテンツ（音楽）選択画面４ａにはダウンロードしたい音楽の選択を促す「次の音楽データから選んで下さい」というメッセージＭ１とともに、配信可能な音楽データに関する関連データＧ１，Ｇ２，Ｇ３，…が一覧表示される。例えば、音楽データＮｏ．「１」の関連データＧ１は「曲Ａ  歌詞ａ  歌手名α」として表示され、音楽データＮｏ．「２」の関連データＧ２は「曲Ｂ  歌詞ｂ  歌手名β」として表示され、音楽データＮｏ．「３」の関連データＧ３は「曲Ｃ  歌詞ｃ  歌手名γ」として表示される。また、コンテンツ（音楽）選択画面４ａにはポインタＰが表示され、カーソルスイッチ３ｅ，３ｆの操作に伴って、ポインタＰの表示位置が移動され、上述の関連データの中から所望の音楽データを選択することができる。なお、ここでは音楽データの選択画面の一例を示したが、書籍データのダウンロードを要求した場合は同様に書籍の選択画面を表示する。
【０１２６】
一覧表示されている関連データの中から配信を要求するコンテンツデータが選択され、決定されると（ステップＣ２；Ｙｅｓ）、ＣＰＵ２は選択したコンテンツデータのＮｏ．を内部ＲＡＭ７に格納する（ステップＣ３）。そして、ＣＰＵ２は選択されたコンテンツデータのＮｏ．を送信者ＩＤとともにコンテンツ配信センターＨＳに対して送信する（ステップＣ４）。
【０１２７】
その後、コンテンツ配信センターＨＳから返信される受信確認のメッセージを受信すると、ＣＰＵ２は当該メッセージを表示部４に表示する（ステップＣ５）。
【０１２８】
次いで、ＣＰＵ２は図１２に示すコンテンツデータのダウンロード・着信時の音楽再生設定処理を実行する。
まず、ＣＰＵ２は表示部４にダウンロード要否画面４ｂを表示する（ステップＣ１０；図１３参照）。図１３に示すように、ダウンロード要否画面４ｂには、「選択した音楽“曲名等”をダウンロードする?」というメッセージＭ２と、「１  Ｎｏ」及び「２  Ｙｅｓ」という選択肢と、これらの選択肢を指示するためのポインタＰと、が表示されている。なお、ここでは音楽データについてのダウンロード要否画面の一例を示したが、書籍データのダウンロードを要求した場合は同様に書籍のダウンロード要否画面を表示する。
【０１２９】
ダウンロード要否画面４ｂにおいて、カーソルスイッチ３ｅ，３ｆの操作、或いは回転スイッチ部１１の操作によってポインタＰが上下に移動表示され、「２Ｙｅｓ」が指示された場合（ステップＣ１１；Ｙｅｓ）は、ホストサーバー３０に対して料金データを要求する信号を、配信を希望するコンテンツデータのＮｏ．とともに送信する。このとき、送信者ＩＤも同時に送信される。
ホストサーバー３０では、料金データの要求信号を受信すると、受信したコンテンツデータのＮｏ．に対応する料金データを確認し、要求送信元に返信する。
【０１３０】
ヘッドホン型携帯電話１では料金データを受信すると、表示部４に表示する（ステップＣ１３；図１４参照）。料金表示画面４ｃには、例えば図１４に示すように、「音楽データの料金」として、関連データ「曲Ｃ」と「１００円」という料金データＲとが表示される。
【０１３１】
その後、料金表示画面４ｃにおいて料金が確認され、ダイヤル部３ｄに設けられたＯＫキーが操作されると（ステップＣ１４；Ｙｅｓ）、ＣＰＵ２は提示された料金に応じたネットワーク用の仮想通貨データを、ダウンロードを要求するコンテンツのデータＮｏ．とともにホストサーバー３０へ送信する（ステップＣ１５）。このとき同時に送信者ＩＤも送信する。
【０１３２】
前記仮想通貨データを受信したホストサーバー３０は、受信した仮想通貨データ、及びコンテンツデータのＮｏ．を確認し、音楽・書籍データＲＯＭ３２から該当する音楽データまたは書籍データ、及び関連データを読み出し、送信元へ返信する。
【０１３３】
ヘッドホン型携帯電話１では要求したコンテンツデータ及び関連データを受信すると、そのコンテンツデータ及び関連データを外部ＲＡＭ８の記憶領域にそれぞれ格納し（ステップＣ１６）、受信完了すると（ステップＣ１７；Ｙｅｓ）、ダウンロードを終了し、コンテンツ配信センターＨＳとの通信接続を切断する。
【０１３４】
図１３に示すダウンロード要否画面４ｂにおいて、「１  Ｎｏ」が選択され、ダウンロードを不要とする場合は（ステップＣ１２；Ｙｅｓ）、ステップＣ１３〜ステップＣ１７における処理をスキップし、コンテンツ配信センターＨＳとの通信接続を直ちに切断する。
【０１３５】
次いで、ステップＣ１８の処理によって、ＣＰＵ２は電話着信時に再生する音楽を設定するための、着信音楽設定画面４ｄを表示部４に表示する（ステップＣ１８；図１５参照）。
【０１３６】
図１５に示すように、着信音楽設定画面４ｄには、「着信時の音楽再生設定?」というメッセージＭ３と、「１  Ｙｅｓ」及び「２  Ｎｏ」という選択肢と、これらの選択肢を指示するためのポインタＰとが表示されている。
【０１３７】
この着信音楽設定画面４ｄにおいて、カーソルスイッチ３ｅ，３ｆの操作、或いは回転スイッチ部１１によってポインタＰが上下に移動され、「１  Ｙｅｓ」が指示された場合（ステップＣ１９；Ｙｅｓ）は、着信音楽を特定の音楽で再生する設定とする。すなわち、外部ＲＡＭ８に記憶されている複数の音楽データの中から、所望の音楽データを選択して、着信時に再生する音楽に設定できる。ダイヤル部３ｄに設けられる数値キー等の操作によって、着信時に再生する音楽が選択されると、ＣＰＵ２は選択された音楽データのＮｏ．を内部ＲＡＭ７の着信音楽設定データメモリ７ｉに記憶する（ステップＣ２０）。
【０１３８】
着信音楽設定画面４ｄにおいて、カーソルスイッチ３ｅ，３ｆの操作によってポインタＰが上下に移動され、「２  Ｎｏ」が指示された場合（ステップＣ１９；Ｎｏ）は、ステップＣ２０の処理をスキップして処理を終了する。この場合は、着信時に再生する音楽が設定されないので、ランダム再生に設定される。或いは、予め設定されている所定の着信音で着信が報知される。
【０１３９】
次に、図１６を参照してコンテンツデータをダウンロードする際にコンテンツ配信センターＨＳにおいて実行される処理について説明する。
【０１４０】
まず、ヘッドホン型携帯電話１によりコンテンツ配信センターＨＳに対してコンテンツ配信の申し込みに関するデータ及び送信者ＩＤが送信され（ステップＤ１）、ホストサーバー３０においてその申込みデータ及び送信者ＩＤを受信すると（ステップＤ２）、ホストサーバー３０のＣＰＵ３１は、受信した送信者ＩＤ等をホストサーバー３０のＲＡＭ３１Ａに記憶する。そして、ホストサーバー３０のＣＰＵ３１は、コンテンツデータの選択を催促する表示（コンテンツ（音楽）選択画面４ａ）をヘッドホン型携帯電話１に表示させるための選択催促表示データ（関連データを含む）を、前記申込みデータの送信元に返信する（ステップＤ３）。
【０１４１】
ヘッドホン型携帯電話１は受信した選択催促表示データに基づいてコンテンツ（音楽）選択画面４ａを表示部４に表示する（ステップＤ４；図１１参照）。また、コンテンツ（音楽）選択画面４ａにおいて選択されたコンテンツデータのＮｏ．を送信者ＩＤとともにコンテンツ配信センターＨＳへ送信する（ステップＤ５）。
【０１４２】
ホストサーバー３０ではヘッドホン型携帯電話１において選択されたコンテンツデータのＮｏ．及び送信者ＩＤを受信すると（ステップＤ６）、ＲＡＭ３１Ａに確保し、その後、図示しないホストサーバー３０内のメッセージＲＯＭから選択データのＮｏ．の受信を確認した旨のメッセージを読み出して、送信元へ返信する（ステップＤ７）。ヘッドホン型携帯電話１は確認メッセージを表示部４に表示する（ステップＤ８）。
【０１４３】
次に、ホストサーバー３０はヘッドホン型携帯電話１に対してダウンロード要否確認画面４ｂを表示させるためのデータを送信する（ステップＤ９）。ヘッドホン型携帯電話１はダウンロード要否確認画面４ｂを表示させるためのデータを受信すると、受信したデータに基づいてコンテンツデータのダウンロード要否画面４ｂ（図１３参照）を表示部４に表示する（ステップＤ１０）。そしてダウンロードを必要とする場合は、ヘッドホン型携帯電話１からその旨のデータがホストサーバー３０に送信される（ステップＤ１１）。
【０１４４】
ホストサーバー３０ではダウンロードするコンテンツデータの料金データを料金データメモリ（図示省略）から読み出し、ヘッドホン型携帯電話１に返信する（ステップＤ１２）。ヘッドホン型携帯電話１は受信した料金データに基づいて料金表示画面４ｃを表示部４に表示し（ステップＤ１３；図１４参照）、表示された料金が承諾され、ＯＫキーが押下操作されると、料金の支払いを確認した旨をホストサーバー３０に送信する（ステップＤ１４）とともに、料金データに応じた仮想通貨データをホストサーバー３０に送信する（ステップＤ１５）。
【０１４５】
ホストサーバー３０では、料金データの承認及び料金データに応じた仮想通貨データを受信すると、要求されているコンテンツデータ及びその関連データを音楽・書籍データＲＯＭ３２から読み出して配信部３３へ渡し、要求元のヘッドホン型携帯電話１へ配信する（ステップＤ１６）。ヘッドホン型携帯電話１では、受信したコンテンツデータ及び関連データを外部ＲＡＭ８のコンテンツデータメモリ８ａや関連データメモリ８ｂに格納する（ステップＤ１７）。
【０１４６】
以上説明したように、ヘッドホン型携帯電話１は通信接続可能なコンテンツ配信センターＨＳにアクセスして所望の音楽データまたは書籍データ等のコンテンツデータをダウンロードすることが可能である。また、受信した複数のコンテンツデータを外部ＲＡＭ８へ記憶しておき、記憶されている複数のコンテンツデータの中から所望のコンテンツデータを選択して再生したり、着信音楽に設定することが可能である。従ってＣＤショップ等に直接出向かなくても、電話機能を利用してコンテンツ配信センターＨＳへアクセスし、いつでもどこからでも所望の音楽データや書籍データを迅速かつ簡単に手に入れることができる。
【０１４７】
（再生処理）
次に、図１７〜図１９を参照して再生処理について説明する。
図１７は再生モードにおいて実行される再生処理を説明するためのフローチャートであり、図１８は関連データ一覧表示画面４ｅの例、図１９は音楽再生中の表示画面４ｆの例を示す図である。
【０１４８】
ヘッドホン型携帯電話１の外部ＲＡＭ８に記憶されているコンテンツデータを再生し、スピーカ部１Ｅから聴取する場合は、携帯電話本体１Ａの右側に設けられた再生モードスイッチ３ｃを押下操作する（ステップＥ１；Ｙｅｓ）。
【０１４９】
ＣＰＵ２は、内部ＲＡＭ７のモードデータメモリ７ｂに再生モードを設定するとともに、コンテンツに応じた再生処理を実行し音楽または音声を放音する。
【０１５０】
まず、ＣＰＵ２は外部ＲＡＭ８に記憶されている全てのコンテンツデータについての曲名または書籍名等の関連データを読み出し、表示部４に一覧表示する（ステップＥ２；図１８参照）。図１８に示す関連データ一覧表示画面４ｅでは、「聴きたい音楽は?」というメッセージＭ４とともに、外部ＲＡＭ８に記憶されているコンテンツデータのＮｏ．と、曲名（や書籍名）等の関連データとが、「１  Ｃ曲」、「２  Ｄ曲」のように一覧表示される。更に、一覧表示されている曲名（または書籍名）等の関連データのうち、いずれかを選択指示するポインタＰが表示されている。
【０１５１】
関連データ一覧表示画面４ｅにおいて、カーソルスイッチ３ｅ，３ｆの操作、或いは回転スイッチ部１１における操作によって、曲名または書籍名が選択され（ステップＥ３）、更にプレイスイッチ３ｇがオンされると（ステップＥ４；Ｙｅｓ）、ＣＰＵ２は、選択した曲名または書籍名に対応するコンテンツデータと関連データとを外部ＲＡＭ８から読み出し、内部ＲＡＭ７のコンテンツデータメモリ７ｄ及び関連データメモリ７ｅに夫々格納する（ステップＥ５）。
【０１５２】
ＣＰＵ２は、内部ＲＡＭ７に格納された関連データを読み出し、再生するコンテンツの詳細情報（曲名、歌詞、歌手名、書籍名、著作者名、出版社名等）を表示部４に表示する（ステップＥ６；図１９参照）。例えば、図１８に示す関連データ一覧表示画面４ｅにおいて、「１  Ｃ曲」が選択された場合は、図１９に示すように、「現在の音楽」というメッセージＭ５と、関連データの詳細な情報Ｍ６として「Ｃ曲」、「歌詞ｃ」、「歌手名γ」等を表示した音楽再生中の表示画面４ｆを表示する。
【０１５３】
その後、ＣＰＵ２は内部ＲＡＭ７に格納されているコンテンツデータの再生処理を実行する。すなわち、音楽データの場合は内部ＲＡＭ７に格納されている音楽データを音楽データ復号器１３に渡して復号化処理を実行し、音声出力部１４において復号化されたディジタル音楽データを音響に変換してスピーカ部１Ｅから放音する。また、書籍データの場合は内部ＲＡＭ７に格納されている書籍データを読み上げ音声生成部１６に渡して音声合成処理を実行し、生成された読み上げ音声信号を音声出力部１４において音響（音声）に変換してスピーカ部１Ｅから放音する（ステップＥ７）。
【０１５４】
音楽または書籍の読み上げ音声を再生している途中にストップスイッチ３ｈがオンされると（ステップＥ８；Ｙｅｓ）、音楽データまたは書籍データの再生を停止し、処理を終了する。
【０１５５】
このように、再生処理では外部ＲＡＭ８に記憶されている音楽データまたは書籍データ等のコンテンツデータの中から所望のコンテンツデータを選択して、再生し、音響（音楽または音声）として出力する。
【０１５６】
以上説明したように、第１の実施の形態のヘッドホン型携帯電話１は、音楽または書籍等の音響を再生する再生機能と電話機能と時計機能とを携帯電話本体１Ａに搭載し、携帯電話本体１Ａには、耳や腕に装着できるように、バンド部１Ｂ，１Ｂ、バックル部１Ｄａ，１Ｄｂ，及び耳掛部１Ｆａ，１Ｆｂを設けている。
【０１５７】
そして、音楽プレーヤ或いは書籍プレーヤとして主体的に使用する場合は、使用者はヘッドホン型携帯電話１を耳に装着し、再生モードにおいて再生される音楽または書籍の読み上げ音声をスピーカ部１Ｅ，１Ｅから聴取する。再生途中に電話の着信があると、音楽または書籍の再生を自動的に停止し、着信音或いは着信振動等で電話の着信を報知する。また、通話時は、更にマイク部１Ｃをマイク収納部１Ｃ’から引き出し、マイク部１Ｃを用いて相手と通話する。相手の通話音声はスピーカ部１Ｅ，１Ｅから出力される。電話をかける場合は頭部からヘッドホン型携帯電話１を外し、ダイヤル部３ｄまたは回転スイッチ部１１を操作して電話番号を入力し、通話する。通話中は耳に装着し、マイク部１Ｃを引き出して使用する。その後、通話を終了すると、停止されている音楽または書籍の読み上げ音声の再生を自動的に再開する。
【０１５８】
一方、ヘッドホン型携帯電話１を腕時計として主体的に使用する場合は、ヘッドホン型携帯電話１を手首に装着する。
【０１５９】
従って、音楽または書籍の再生装置と携帯電話と腕時計とを一つの機器に搭載したので、同時に持ち歩く携帯機器の数を抑えることができる。また耳に装着すれば、手に持たずに通話できるので、車の運転中や荷物を多く持っていて両手がふさがっている場合に有効である。特に、音楽または書籍の再生装置として使用している途中に電話の着信があると、自動的に再生を停止して着信を報知するので、再生を停止させるための操作を何ら必要とせず、迅速に着信に応答できる。更に、通話終了後は自動的に音楽等の再生を再開するので、再生を再開させるための操作を何ら必要とせず便利である。
【０１６０】
更に、ヘッドホン型携帯電話１の電話機能を利用して、外部のコンテンツ配信端末に対して所望の音楽データや書籍データを要求して、ダウンロードすることができる。従って、いつでもどこにいても希望する音楽や書籍を迅速かつ容易に取得することができる。
【０１６１】
また、モードスイッチの操作によって電話モード、時計モード、再生モードを迅速かつ容易に切り替え、設定されたモードに応じて携帯電話、腕時計、或いは音楽等の再生装置として使用できる。使用するモードに応じて適当な使用状態で使用できる。
【０１６２】
なお、本発明は上述の実施形態の内容に限定されるものではなく、本発明の趣旨を逸脱しない範囲で適宜変更可能である。
【０１６３】
例えば、上述の実施の形態において、書籍データを再生するために、文字データや擬音データの再生情報から成る書籍データに基づいて読み上げ音声生成部１３において音声合成処理によって読み上げ音声を生成し、音声として出力する処理を説明したが、書籍データに予め読み上げ音声が記録されており、音声データを再生して音声として出力するようにしてもよい。
【０１６４】
また、例えば、音声認識部２Ａを設け、この音声認識部２Ａにてマイク部１Ｃから入力され、音声入力部１５により変換された信号について、音声スペクトラム短縮化等の分析処理を行った後に、標準パターン等とのパターンマッチングを行って音声認識を行い、その音声認識結果を出力する音声認識処理を施すことも可能である。例えば、電話モードにおいて、相手方の電話端末に電話をかける場合に、ダイヤル部３ｄにおけるデータ入力キーの手動操作に代えて、予め内部ＲＡＭ７のダイヤルデータメモリ７ｇに記憶されている電話番号データや電話番号データに対応付けられている相手の名前等をマイク部１Ｃから音声入力し、上述の音声認識部２Ａの音声認識処理によってダイヤル先を指示することも可能である。
【０１６５】
その他、ヘッドホン型携帯電話１の携帯電話本体１Ａに設けられるスイッチの配設の仕方やバンド部やバックル部の形状等については本発明の趣旨を逸脱しない範囲で適宜変更可能である。
【０１６６】
〔第２の実施の形態〕
次に本発明に係る放音再生システムの実施の形態として、ヘッドホン型携帯電話３００及びリスト型リモコン装置４００により構成される放音再生システム２００について図２０〜図２２を参照して説明する。
【０１６７】
図２０は放音再生システム２００の使用状態例を示す図であり、（Ａ）は放音再生システム２００を使用して音楽を聴取しながら読書を楽しむ様子を示し、（Ｂ）はリスト型リモコン装置４００に設けられたマイク部４００Ｃ（収音部）に対して音声を入力し、ヘッドホン型携帯電話３００のスピーカ部３００Ｅから放音される通話音声を聞きながら通話する様子を示している。また図２１はリスト型リモコン装置４００及びヘッドホン型携帯電話３００の外観構成、及び各装置間で送受信されるデータを説明する図である。図２２は、ヘッドホン型携帯電話３００、リスト型リモコン装置４００、及びネットワーク４０を介して接続されるホストサーバ３０の構成を示すブロック図である。
【０１６８】
図２０〜２２に示すように、放音再生システム２００は使用者の耳に装着されるヘッドホン型携帯電話３００と使用者の腕に装着されるリスト型リモコン装置４００とにより構成される。
【０１６９】
ヘッドホン型携帯電話３００は、使用者の両耳に装着されるイヤーパット部３００Ｂ，３００Ｂと使用者の頭の頂部に跨るように掛け渡されたバンド３００Ｃとをもつトップ式ヘッドホンの形状を有し、いずれか一方のイヤーパッド部３００Ｂまたは両方のイヤーパッド部３００Ｂ，３００Ｂにメモリカードスロット３０８ａを備えている。メモリカードスロット３０８ａは半導体メモリによって構成される小型・可搬のメモリカード（外部ＲＡＭ３０８）を収納する部位であり、メモリカードを挿入するために開口したメモリカード挿入孔３０８ｂを備える。このメモリカードスロット３０８ａの内部には、メモリカードを正しい位置に収納した状態でメモリカード側に設けられたデータ読み書き電極（端子部）と接する位置にデータ読み書き用の接続端子が設けられており、後述するＣＰＵ３０２によって当該電極を介するメモリカードへの書籍データの読み書きが制御される。
【０１７０】
なお、メモリカードスロット３０８ａの形状は、図２１に示すようにメモリカード挿入孔３０８ｂに対してメモリカードを差し込むようにして装着するものに限らない。例えば、イヤーパット部３００Ｂ内部に設けたメモリカード収納部にメモリカード３０８を装着して電池交換蓋等の開閉式の蓋によって脱落を防止したり、これらの蓋をビスやスクリューネジによって止めたりするように構成してもよい。更にメモリカードを抽斗式に出し入れしたり、ロック機構を用いて手動で簡単に着脱できるするようにしてもよい。また防水パッキング等を用いてメモリカードが雨等の水にぬれるのを防ぐように構成してもよい。
【０１７１】
また、イヤーパッド部３００Ｂの任意の箇所にＰＣ等の外部機器とケーブル接続するためのコネクタ部３１８ａを備える。コネクタ部３１８ａにＰＣ等の外部機器を接続し、外部機器から外部Ｉ／Ｆ部３１８を介して音楽データや書籍データを取得すると、制御部３０２の制御によって取得した音楽データまたは書籍データを外部ＲＡＭ３０８に記憶する（図２２参照）。
【０１７２】
更に、イヤーパッド部３００Ｂの任意の箇所に、イヤホン３００Ｇ（図２２参照）を接続するためのイヤホンジャックを備えるようにしてもよい。
【０１７３】
リスト型リモコン装置４００は回路基板を内蔵する本体ケース４００Ａと、当該リスト型リモコン装置４００を使用者の腕に装着させるバンド部４００Ｂ，４００Ｂと、当該バンド部４００Ｂ，４００Ｂを互いに連結させるバックル部４００Ｄａ，４００Ｄｂとから構成される。また本体ケース４００の表面には表示部４０４が設けられ、その下部にモードスイッチ４０３ａ及び音楽の再生／停止／早送り／巻き戻し等を指示する再生操作部４０３ｂを含む操作入力部４０３が設けられる。また、本体ケース４００Ａとバンド部４００Ｂを連結する部材である連結部材４００Ｅには通話音声入力用のマイク部４００Ｃが設けられる。
【０１７４】
バンド部４００Ｂにはその表面に「０」〜「９」の各数値及び文字を入力するためのデータ入力キー、通話を開始するためのダイヤルスイッチ、回線の接続を終了するための通話終了スイッチ、各種操作を入力操作するためのファンクションキー等により構成されるダイヤル部４０３ｄが設けられる。
【０１７５】
バンド部４００Ｂ，４００Ｂは湾曲させるように変形することが可能である。図２０（Ａ）に示すようにバンド部４００Ｂ，４００Ｂを湾曲させて手首や二の腕に巻き付け、バックル雄部４００Ｄｂとバックル雌部４００Ｄａとを連結してリスト型リモコン装置４００を腕に装着したり、図２１に示すようにバックル部４００Ｄａ，４００Ｄｂを外してバンド部４００Ｂ，４００Ｂを自然に平面状に伸ばして、リスト型リモコン装置４００を片手で保持することができる。
【０１７６】
バンド部４００Ｂ内部にはダイヤル部４０３ｄに設けられた各種キー及びスイッチの押圧操作信号を、本体ケース４００Ａ内部のＣＰＵ４０２に伝送したり、マイク部４００Ｃに対して入力された音声を本体ケース４００Ａ内部の音声入力部４１５に伝送するための配線がなされている。
【０１７７】
次に、ヘッドホン型携帯電話３００及びリスト型リモコン装置４００の内部回路について説明する。
図２２に示すようにヘッドホン型携帯電話３００は、ＣＰＵ３０２、ＲＯＭ３０６、内部ＲＡＭ３０７、外部ＲＡＭ３０８、通信Ｉ／Ｆ部３０９、アンテナ部３１０、音楽データ復号器３１３、音声出力部３１４、読み上げ音声生成部３１６、無線送受信部３１７、外部Ｉ／Ｆ部３１８を備える。
【０１７８】
リスト型リモコン装置４００は、ＣＰＵ４０２、操作入力部４０３、表示部４０４、表示駆動回路４０５、ＲＯＭ４０６、内部ＲＡＭ４０７、計時部４１２、音声入力部４１５、及び無線送受信部４１７を備える。
【０１７９】
無線送受信部３１７，４１７は、赤外線、電磁誘導、微弱電波等を利用した無線通信ユニットにより構成され、遠隔制御信号、通話音声情報、及び音楽等の再生情報（関連データ）を送受信する。
【０１８０】
なお、図２２において、図１〜図４に示す第１の実施の形態のヘッドホン型携帯電話１に設けられる各部と同一構成の各部には同列符号を付し、各部の詳細な説明を省略することとする。
【０１８１】
ヘッドホン型携帯電話３００のＣＰＵ３０２は、第１の実施の形態のヘッドホン型携帯電話１のＣＰＵ２と同様に、モード設定処理（図６参照）、電話処理（その１）（図７参照）、電話処理（その２）（図８参照）、コンテンツデータ選択処理（図１０参照）、コンテンツデータのダウンロード処理（図１２参照）、及び再生処理（図１７参照）をＲＯＭ３０６に記憶された処理プログラムに基づいて実行する。ＲＯＭ３０６には前記各種処理を実行するために必要なプログラムコードを含む処理プログラムが複数記憶されている。
【０１８２】
すなわち、第２の実施の形態においてヘッドホン型携帯電話３００は相手先と通話したり、外部のコンテンツ配信センターＨＳから所望のコンテンツデータをダウンロードする電話機能や、音楽データまたは書籍データを再生する再生機能を備える。
【０１８３】
但し、第２の実施の形態では電話機能において、使用者の通話音声はリスト型リモコン装置４００に設けられるマイク部４００Ｃにおいて収音される。マイク部４００Ｃから収音された音声データは無線送受信部４１７からヘッドホン型携帯電話３００に対して送信される。ヘッドホン型携帯電話３００は無線送受信部３１７において受信した音声データを通信Ｉ／Ｆ部３０９において変調し、アンテナ部３１０から外部の基地局（図示省略）を介して相手先へ送信する。また相手先からの音声データを通信Ｉ／Ｆ部３０９において受信すると、受信した音声データを復調し、音声出力部３１４に渡して所定の音声処理を施した後、音声としてスピーカ部３００Ｅ，３００Ｅから出力する。
【０１８４】
音楽または書籍の読み上げ音声の再生機能については第１の実施の形態のヘッドホン型携帯電話１における再生機能と同様であるため、説明を省略する。
【０１８５】
但し、第２の実施の形態では再生機能において、再生の開始や停止といった操作をリスト型リモコン装置４００に設けられる再生操作部４０３ｂから入力し、操作に従った遠隔制御信号を無線送受信部４１７から送信する。ヘッドホン型携帯電話３００は、リスト型リモコン装置４００から送信される遠隔制御信号を無線送受信部３１７において受信し、受信した遠隔制御信号に基づいて再生の開始、停止等を制御する。
【０１８６】
また、音楽データや書籍データを放音再生する際は、その関連データ（音楽再生情報）を無線送受信部３１７から送信する。リスト型リモコン装置４００は、ヘッドホン型携帯電話３００から送信される関連データ（音楽再生情報）を無線送受信部４１７において受信し、受信した関連データを、放音再生されている音楽や書籍の読み上げ音声に同期して表示部４に表示させる。
【０１８７】
リスト型リモコン装置４００は、時間や時刻、日付等のカレンダー情報を計時する時計機能を備える他、ヘッドホン型携帯電話３００における動作を遠隔操作するリモコン機能を備える。時計機能については第１の実施の形態のヘッドホン型携帯電話１における時計機能と同様であるため、説明を省略する。
【０１８８】
リモコン機能において、リスト型リモコン装置４００は操作入力部４０３のモードスイッチ４０３ａ、再生操作部４０３ｂ、及びダイヤル部４０３ｄから入力される再生操作に対応する遠隔制御信号を無線送受信部４１７からヘッドホン型携帯電話３００へ送信する。またダイヤル部４０３ｄから入力されたダイヤル番号データ等を送信する。ヘッドホン型携帯電話３００は無線送受信部３１７において遠隔制御信号を受信すると、受信した遠隔制御信号に従って再生機能においては音楽の再生、停止、巻き戻し、早送り、一時停止等の処理を行い、通話機能においては受信したダイヤル番号データに対して電話を発信したり、電話に応答したり、通話を終了したりする。
【０１８９】
また、リスト型リモコン装置４００に設けられるモードスイッチ４０３ａが操作され、電話モードまたは再生モードへ切り替える指示が入力されると、無線送受信部４１７から遠隔制御信号を送信し、ヘッドホン型携帯電話３００のＣＰＵ３０２は受信したモード切り替え指示に従ってモード設定処理を実行し、モードを切り替える。
【０１９０】
なお、各処理において選択、指定等の操作を入力する際には、選択可能なデータをリスト型リモコン装置４００側の表示部４０４に一覧表示させて選択する方法によらず、スピーカ部３００Ｅから音声案内を出力するようにしてもよい。そして、音声案内に従ってリスト型リモコン装置４００の操作入力部４０３から各種操作を入力するようにしてもよい。
【０１９１】
以上説明したように、第２の実施の形態における放音再生システム２００は、音楽や書籍の再生機能と電話機能とを備えたヘッドホン型携帯電話３００と、当該ヘッドホン型携帯電話３００を遠隔制御する機能と時計機能とを備えたリスト型リモコン装置４００と、により構成される。
【０１９２】
そして、ヘッドホン型携帯電話３００における通話の開始・終了、再生すべきコンテンツデータの選択、または再生の開始・停止といった操作を手首に装着したリスト型リモコン装置４００で遠隔操作する（図２０（Ａ）参照）。また、リスト型リモコン装置４００側にはマイク部４００Ｃが設けられ、通話時は腕に装着されたリスト型リモコン装置４００を口元に近づけ、マイク部４００Ｃに対して音声を入力し、ヘッドホン型携帯電話３００側に設けられるスピーカ部３００Ｅから通話音声を聴取する（図２０（Ｂ）参照）。また、スピーカ部３００Ｅから所望の音楽や書籍の読み上げ音声を聴取する（図２０（Ｂ）参照）。また、腕に装着されたリスト型リモコン装置４００の表示部４０４にて、時刻を確認したり、操作内容を確認することができる。
【０１９３】
従って、図２０（Ａ）に示すように、ヘッドホン型携帯電話３００を頭部に装着したまま、腕に装着したリスト型リモコン装置４００から各種操作を入力したり、電話番号を入力することができるので、ヘッドホン型携帯電話３００を操作のために頭部から外す必要がなくなり、使い勝手をよくすることができる。
また、図２０（Ｂ）に示すように、リスト型リモコン装置４００から通話音声を、マイク部４００Ｃを通じて入力できるので、ヘッドホン型携帯電話３００側にマイク部を設けずに構成でき、ヘッドホン型携帯電話３００の構成を簡略化することができる。
また、図２１に示すように、ヘッドホン型携帯電話３００は無線通信により遠隔制御されるので、ケーブルに煩わされることがなく携帯時に行動の邪魔にならず、携帯性を向上できる。
また、図２１に示すように、手元に表示される放音中の関連データを視覚的に確認しながら操作を行ったり、放音中のデータの内容を確認できるので、操作入力しやすく使い勝手がよくなる。
【０１９４】
なお、本発明の電気音響変換装置及び耳装着型電子装置の例は、上述の第１の実施の形態では腕時計の形状とし、第２の実施の形態ではトップ式のヘッドホン装置の形状としたが、装置の形状はこれに限定されるものではなく、本発明の趣旨を逸脱しない範囲で適宜変更可能である。また、第２の実施の形態において例示したリスト型リモコン装置４００の形状についても同様に本発明の趣旨を逸脱しない範囲で適宜変更可能である。
【０１９５】
以下、本発明に係る電気音響変換装置、耳装着型電子装置、及び放音再生システムの変形例を説明する。
【０１９６】
（変形例１）
図２３は本発明に係る電気音響変換装置及び耳装着型電子装置の形状の他の例であるヘッドホン型携帯電話５００の外観図である。
図２３に示すように、ヘッドホン型携帯電話５００は、後頭部または頭頂部の形状にほぼ沿うように「Ｕ」字型に湾曲している本体部５００Ａと、本体部５００Ａの左右の先端部に夫々設けられ、音を出力するスピーカ部５００Ｅ，５００Ｅと、頭部に装着した際に各スピーカ部５００Ｅ，５００Ｅが左右の耳に夫々当たる位置に固定するように耳に掛ける部位である耳掛部５００Ｆａ，５００Ｆｂとを備える。また、本体部５００Ａの所定の位置に回動可能にアーム５００Ｇが取り付けられ、アーム５００Ｇの先端部には使用者の通話音声を収音するマイク部５００Ｃが設けられる。通話時は音声品質を向上できるよう、アーム５００Ｇの位置を調整し、マイク部５００Ｃを口元に近づける。
【０１９７】
また、本体部５００ＡにはＬＣＤにより構成される表示部５０４、メモリカード５０８（外部ＲＡＭ）を収納する部位であるメモリカード収納部５０８ａ、操作を入力する操作入力部５０３、及び回転スイッチ部５１１が設けられる。本体部５００Ａには第１の実施の形態と同様に、ＣＰＵ、表示駆動回路、ＲＯＭ、内部ＲＡＭ、外部ＲＡＭ、通信Ｉ／Ｆ部、アンテナ部、計時部、音楽データ復号器、音声出力部、音声入力部、及び読み上げ音声生成部が備えられる。
【０１９８】
すなわち、ヘッドホン型携帯電話５００は、第１の実施の形態と同様に、電話機能、再生機能、及び時計機能を備え、各機能を耳（頭部）に装着した状態で使用できる。また、ＣＰＵは第１の実施の形態において詳述した各処理と同様の処理を実行する。
【０１９９】
つまり、音楽または書籍を再生する場合は、本体部５００Ａを後頭部または頭頂部に掛け渡すようにして耳掛部５００Ｆａ，５００Ｆｂを左右の耳に掛け、スピーカ部５００Ｅ，５００Ｅが左右の耳にあてがうように装着する。そして、第１の実施の形態において詳述したように、メモリカード５０８（外部ＲＡＭ）に記憶されている音楽データや書籍データについて再生処理を行って、音楽や書籍に従った音響（音楽または読み上げ音声）をスピーカ部５００Ｅ，５００Ｅから放音再生する。音楽や書籍の再生途中に電話の着信があると、音楽または書籍の再生を自動的に停止し、着信音或いは着信振動等で電話の着信を報知する。
【０２００】
通話する際は、使用者はアーム５００Ｇの角度を調整してマイク部５００Ｃを口元に近づけ、マイク部５００Ｃから音声を入力し、スピーカ部５００Ｅ，５００Ｅから相手の通話音声を聴取する。電話をかける場合は頭部からヘッドホン型携帯電話５００を外し、回転スイッチ部５１１を操作して電話番号を選択、確定し、通話する。その後、通話を終了すると、停止されている音楽または書籍の読み上げ音声の再生を自動的に再開する。
【０２０１】
また、時計として使用する場合は、ヘッドホン型携帯電話５０を耳（頭部）から外して手に持ち、表示部５０４に表示される時刻や時間を確認する。
【０２０２】
なお、操作の利便性を考慮して第２の実施の形態に示す無線送受信部を更に備え、リスト型リモコン装置４００（図２１、図２２参照）によって各種操作を遠隔制御するようにしてもよい。また、リスト型リモコン装置４００に設けられるマイク部４００Ｃに対して通話音声を入力するようにしてもよい。
【０２０３】
図２３に示す形状のヘッドホン型携帯電話５００を利用すれば、耳に装着して両手を開放した状態で通話でき、また音楽や書籍の読み上げ音声を再生して聴取できる。その他、第１の実施の形態に示すヘッドホン型携帯電話１と同一の機能により同一の効果を得ることができる。
【０２０４】
（変形例２）
図２４は、本発明に係る電気音響変換装置及び耳装着型電子装置の他の例であるイヤホン型携帯電話６００の外観図であり、図２５はイヤホン型携帯電話６００の使用状態例を示す図である。
図２４（Ａ）に示すように、イヤホン型携帯電話６００は、音を出力するスピーカ部６００Ｅを備えた耳装着部６００ａと、耳の形状にほぼ沿うように湾曲している湾曲部６００ｂと、メモリカード６０８を収納するためのメモリカード挿入孔６００ｄを設けた本体部６００ｃとを一体的に設けて構成される。
【０２０５】
本体部６００ｃには操作を入力するための操作部６０３と、通話音声を収音するマイク部６００Ｄとが備えられる。マイク部６００Ｄは回動軸６００ｄに回動可能に軸支されるアーム６００Ｇの先端部に設けられ、アーム６００Ｇを回動軸６００ｄを中心に図示する矢印の方向に回動させることで、マイク部６００Ｄの位置を調整できる。また、アーム６００Ｇにはアンテナ部６１０が内蔵される。アンテナ部６１０において外部からの電話の着信を検出したり、外部に電話のための信号を送信する。
【０２０６】
本体部６００ｃ内部には第１の実施の形態と同様に、ＣＰＵ、ＲＯＭ、内部ＲＡＭ、外部ＲＡＭ（メモリカード６０８）、メモリカード６０８に記憶されている音楽データに基づいて音楽再生を行う音楽データ復号器６１３、書籍データに基づいて読み上げ音声を生成する読み上げ音声生成部６１６、音声出力部６１４、及び相手との通話を可能とする電話機能部６０９（第１の実施の形態における通信Ｉ／Ｆ部９と同様の機能を備える）を備える。
【０２０７】
図２４（Ｂ）に左右対称の形状のイヤホン型携帯電話６００Ｘ，６００Ｙをコード６００Ｂで接続した例を示す。この例では、図示するように、左右対称の形状のイヤホン型携帯電話６００Ｘ，６００Ｙのうち、一方のイヤホン型携帯電話６００Ｘを上述の図２４（Ａ）に示すイヤホン型携帯電話６００と同一構成とし、他方のイヤホン型携帯電話６００Ｙにはスピーカ部６００Ｅのみを備える。そして、一方のイヤホン型携帯電話６００Ｘにおいて再生された音響信号をコード６００Ｂを介して他方のイヤホン型携帯電話６００Ｙに伝送し、これら二つの連結されたイヤホン型携帯電話６００Ｘ，６００Ｙの各スピーカ部６００Ｅから音響としてステレオ再生する。また、左耳側と右耳側の各イヤホン型携帯電話６００Ｘ，６００Ｙにそれぞれ備えられたメモリカード６０８のいずれかに記憶されている音楽データまたは書籍データを順次再生するようにしてもよい。
【０２０８】
以上のように構成されるイヤホン型携帯電話６００において、ＣＰＵは第１の実施の形態と同様の処理を実行する。
【０２０９】
つまり、音楽または書籍を再生する場合は、湾曲部６００ｂを耳に掛けて装着し、第１の実施の形態において詳述したように、外部ＲＡＭ（メモリカード６０８）に記憶されている音楽データや書籍データについて再生処理を行って、音楽や書籍に従った音響（音楽または読み上げ音声）をスピーカ部６００Ｅから放音再生する。音楽や書籍の再生途中に電話の着信があると、第１の実施の形態において詳述したように、音楽または書籍の再生を自動的に停止し、着信音或いは着信振動等で電話の着信を報知する。通話する際は、アーム６００Ｇの位置を調整し、マイク部６００Ｄを口元に位置させてマイク部６００Ｄに対して音声を入力する。相手の通話音声はスピーカ部６００Ｅから出力される。電話をかける場合は耳からイヤホン型携帯電話６００を一旦外し、操作部６０３を操作して電話番号を入力し、通話する。その後、通話を終了すると、停止されている音楽または書籍の読み上げ音声の再生を停止位置から自動的に再開する。
【０２１０】
なお、操作の利便性を考慮して第２の実施の形態に示す無線送受信部を更に備え、リスト型リモコン装置４００（図２１、図２２参照）によって各種操作を遠隔制御するようにしてもよい。また、リスト型リモコン装置４００に設けられるマイク部４００Ｃに対して通話音声を入力するようにしてもよい。
【０２１１】
また、イヤホン型携帯電話６００に代えて、補聴器形状のイヤホン本体に、第１の実施の形態に示すヘッドホン型携帯電話１と同様の各部（ＣＰＵ、ＲＯＭ、内部ＲＡＭ、メモリカード（外部ＲＡＭ）、音楽データ復号器、読み上げ音声生成部、音声出力部、通信Ｉ／Ｆ部、アンテナ部等）を設けるようにしてもよい。更に、この場合においても第２の実施の形態と同様に、リスト型リモコン装置４００からの操作に従った遠隔制御信号を送信する無線送受信部を設けるようにしても良い。
【０２１２】
イヤホン型携帯電話６００を利用すれば、図２５に示すように耳に装着して両手を開放した状態で通話でき、また音楽や書籍の読み上げ音声を再生して聴取できる。その他、第１の実施の形態に示すヘッドホン型携帯電話１と同一の機能により同一の効果を得ることができる。
【０２１３】
（変形例３）
図２６は本発明に係る放音再生システムの他の例を示し、（Ａ）は肩掛型携帯電話７００の外観図、（Ｂ）は肩掛型携帯電話７００を利用した放音再生システム８００の使用状態例である。
【０２１４】
この例における放音再生システム８００は、肩掛型携帯電話７００と第２の実施の形態において詳述したリスト型リモコン装置４００とにより構成される。
リスト型リモコン装置４００については、図２０〜２２に示すリスト型リモコン装置４００と同一構成であるので、説明を省略する。
【０２１５】
肩掛型携帯電話７００は、図２６（Ａ）に示すようにスピーカ部７００Ｅを備えた本体部７００Ａ，７００Ａと、当該本体部７００Ａ，７００Ａを両肩に掛け渡すように連結する連結アーム７００Ｇと、により概略構成される。本体部７００Ａ，７００Ａにはそれぞれコード７００ｆを有するイヤホン７００Ｆが脱着自在に設けられる。また、いずれか一方の本体部７００Ａには操作を入力するための操作部７０３が設けられる。
【０２１６】
本体部７００Ａ内部には第２の実施の形態のヘッドホン型携帯電話３００と同様に、ＣＰＵ、ＲＯＭ、内部ＲＡＭ、外部ＲＡＭ（メモリカード）、メモリカードに記憶されている音楽データに基づいて音楽再生を行う音楽データ復号器、書籍データに基づいて読み上げ音声を生成する読み上げ音声生成部、音声出力部、相手との通話を可能とする電話機能部（通信Ｉ／Ｆ部、アンテナ部）、及びリスト型リモコン装置４００からの遠隔操作信号や通話音声等を受信する無線送受信部を備える。
【０２１７】
この放音再生システム８００を使用して、音楽データや書籍データを再生する際は、図２６（Ｂ）に示すように肩掛型携帯電話７００の本体部７００Ａ，７００Ａを、スピーカ部７００Ｅが耳側に対向するように両肩に載せ、連結アーム７００Ｇを首の後ろ側に掛ける。また、外部に音を漏らさずに音楽等を聴取したい場合は、イヤホン７００Ｆ，７００Ｆを本体部７００Ａ，７００Ａから引き出し、両耳に装着する。リスト型リモコン装置４００は腕に装着する。
【０２１８】
以上のように構成される放音再生システム８００は、第２の実施の形態と同様の動作を行う。
【０２１９】
すなわち、音楽または書籍を再生する場合は外部ＲＡＭに記憶されている音楽データや書籍データについて再生処理を行って、音楽や書籍に従った音響（音楽または読み上げ音声）をスピーカ部７００Ｅ，７００Ｅから放音再生する。イヤホン７００Ｆ，７００Ｆから音響を放音する場合は、操作部７０３を操作して出力モードをイヤホン出力に切り替える。音楽等の再生操作はリスト型リモコン装置４００の再生操作部４０３ｂから入力され、無線送受信部４１７から遠隔制御信号として送信される。
【０２２０】
音楽や書籍の再生途中に電話の着信があると、音楽または書籍の再生を自動的に停止し、着信音或いは着信振動等で電話の着信を報知する。通話する際は、リスト型リモコン装置４００に設けられるマイク部４００Ｃを口元に近づけマイク部４００Ｃに対して音声を入力する。マイク部４００Ｃから入力された通話音声データは無線送受信部４１７から肩掛型携帯電話７００に送信される。相手の通話音声はスピーカ部７００Ｅまたはイヤホン７００Ｆから出力される。電話をかける場合はリスト型リモコン装置４００に設けられるダイヤル部４０３ｄを操作して電話番号を入力し、通話する。その後、通話を終了すると、停止されている音楽または書籍の読み上げ音声の再生を停止位置から自動的に再開する。
【０２２１】
図２６に示す肩掛型携帯電話７００を利用した放音再生システム８００によれば、本体部７００Ａ，７００Ａを肩に掛けて両手を開放した状態で通話したり、音楽や書籍の読み上げ音声を聴取できる。またイヤホン７００Ｆ，７００Ｆによって耳に装着して両手を開放した状態で通話したり、音楽や書籍の読み上げ音声を聴取できる。その他、第２の実施の形態に示す放音再生システム２００と同一の機能により同一の効果を得ることができる。
【０２２２】
なお、図２６（Ａ）に示すように、肩掛型携帯電話７００の本体部７００Ａにマイク部７００Ｍを設け、通話用音声を本体部７００Ａに設けられたマイク部７００Ｍから入力するようにしてもよい。
また、これの代わりに、マイク部７００ｍを支えるアーム７００ｎを本体部７００Ａから回動可能に突出させて設けるようにしてもよい。このように構成すれば、アーム７００ｎの位置を自在に調整して通話時にマイク部７００ｍを口元に位置させることができる。
【０２２３】
【発明の効果】
請求項１記載の発明によれば、各耳掛部を耳に掛けて携帯電話本体を使用者の身体の頭部に装着させた場合には、使用者の音声をマイク部から入力することができ、また、相手先の音声をバンド部材の各先端に備えられたスピーカ部から聞くことができる。このために、相手との間で通話を可能とする。従って、一つの機器に携帯電話としての機能とを搭載したので、同時に持ち歩く携帯機器の個数を抑えることができる。また耳に装着するため手に持たずに通話でき、車の運転中や荷物を多くもっていて両手がふさがっている場合に有効である。
請求項１記載の発明によれば、そればかりでなく、連結部同士でバンド部材を互いに連結して、時計機能部が設けられた携帯電話本体を使用者の身体の腕に装着させた場合には、携帯電話本体に設けられた時計機能部の表示上の時刻を手元で見ることを可能とする。従って、携帯電話としての機能としても時計としての機能としても使用することが可能となる。
【０２２４】
請求項３記載の発明によれば、請求項１記載の発明の場合と同様、各耳掛部を耳に掛けて携帯電話本体を使用者の身体の頭部に装着させた場合には、使用者の音声をマイク部から入力することができ、また、相手先の音声をバンド部材の各先端に備えられたスピーカ部から聞くことができるばかりでなく、連結部同士でバンド部材を互いに連結して、時計機能部が設けられた携帯電話本体を使用者の身体の腕に装着させた場合には、携帯電話本体に設けられた時計機能部の表示上の時刻を手元で見ることを可能とする。従って、携帯電話としての機能としても時計としての機能としても使用することが可能となる。
【図面の簡単な説明】
【図１】ヘッドホン型携帯電話１の使用状態例、及びヘッドホン型携帯電話１と外部機器との通信（コンテンツ配信）の様子を模式的に示す図である。
【図２】ヘッドホン型携帯電話１を腕時計として使用する際の外観を示す図である。
【図３】ヘッドホン型携帯電話１を身体から外した際の使用状態例を示す図である。
【図４】ヘッドホン型携帯電話１及びコンテンツ配信センターＨＳに設置されたホストサーバー３０の構成を示すブロック図である。
【図５】（Ａ）はヘッドホン型携帯電話１の内部ＲＡＭ７のメモリ構成、（Ｂ）はヘッドホン型携帯電話１の外部ＲＡＭ８のメモリ構成を示す図である。
【図６】モード設定処理を説明するフローチャートである。
【図７】電話処理（その１）を説明するフローチャートである。
【図８】電話処理（その２）を説明するフローチャートである。
【図９】時計処理を説明するフローチャートである。
【図１０】コンテンツデータ選択処理を説明するフローチャートである。
【図１１】コンテンツデータ選択処理において表示されるコンテンツ（音楽）選択画面４ａの一例である。
【図１２】コンテンツデータのダウンロード・着信時の音楽再生設定処理を説明するためのフローチャートである。
【図１３】ダウンロード要否画面４ｂの一例である。
【図１４】料金表示画面４ｃの例の一例である。
【図１５】着信音楽設定画面４ｄの一例である。
【図１６】所望のコンテンツデータを選択したりコンテンツデータをダウンロードする際に、ヘッドホン型携帯電話１とコンテンツ配信センターＨＳのホストサーバー３０とにおいて実行される各処理の関係を示すフローチャートである。
【図１７】再生処理を説明するためのフローチャートである。
【図１８】再生処理において表示される関連データ一覧表示画面４ｅの一例である。
【図１９】音楽再生中の表示画面４ｆの一例である。
【図２０】放音再生システム２００の使用状態例を示す図であり、（Ａ）は放音再生システム２００を使用して音楽を聴取しながら読書を楽しむ様子を示し、（Ｂ）は放音再生システム２００を利用して通話する様子を示す。
【図２１】リスト型リモコン装置４００及びヘッドホン型携帯電話３００の外観構成、送受信されるデータを説明する図である。
【図２２】ヘッドホン型携帯電話３００、リスト型リモコン装置４００、及びネットワーク４０を介して接続されるホストサーバ３０の構成を示すブロック図である。
【図２３】本発明を適用したヘッドホン型携帯電話５００の外観図である。
【図２４】本発明を適用したイヤホン型携帯電話６００の外観図である。
【図２５】イヤホン型携帯電話６００の使用状態例を示す図である。
【図２６】放音再生システムの他の例を示し、（Ａ）は肩掛型携帯電話７００の外観図、（Ｂ）は肩掛型携帯電話７００を利用した放音再生システム８００の使用状態例を示す図である。
【符号の説明】
１      ヘッドホン型携帯電話（第１の実施の形態）
１Ａ            携帯電話本体
１Ｂ            バンド部
１Ｃ            マイク部
１Ｄａ          バックル雌部
１Ｄｂ          バックル雄部
１Ｅ            スピーカ部
１Ｆａ，１Ｆｂ  耳掛部
１Ｇ            イヤホンジャック
２              ＣＰＵ
３              入力部
３ａ            電話モードスイッチ
３ｂ            時計モードスイッチ
３ｃ            再生モードスイッチ
３ｄ            ダイヤル部
３ｅ            カーソルスイッチ
３ｆ            カーソルスイッチ
３ｇ            プレイスイッチ
３ｈ            ストップスイッチ
３ｉ            音量調節スイッチ
３ｊ            音量調節スイッチ
３Ｓ            オートダイヤルスイッチ
４              表示部
４ａ            コンテンツ（音楽）選択画面
４ｂ            ダウンロード要否画面
４ｃ            料金表示画面
４ｄ            着信音楽設定画面
４ｅ            関連データ一覧表示画面
４ｆ            音楽再生中の表示画面
５              表示駆動回路
６              ＲＯＭ
７              内部ＲＡＭ
８              外部ＲＡＭ
９              通信Ｉ／Ｆ部
１０              アンテナ部
１１              回転スイッチ部
１２              計時部
１３              音楽データ復号器
１４              音声出力部
１５              音声入力部
１６              読み上げ音声生成部
２０Ａ            イヤホンプラグ
ＨＳ      コンテンツ配信センター
３０              ホストサーバ
４０              ネットワーク
２００    放音再生システム（第２の実施の形態）
３００      ヘッドホン型携帯電話
３０２            ＣＰＵ
３０７            内部ＲＡＭ
３０８            外部ＲＡＭ
３０９            通信Ｉ／Ｆ部
３１０            アンテナ部
３１３            音楽データ復号器
３１４            音声出力部
３１６            読み上げ音声生成部
３１７            無線送受信部
３１８            外部Ｉ／Ｆ
３００Ｅ          スピーカ部
３００Ｇ          イヤホン
４００      リスト型リモコン装置
４００Ｃ          マイク部
４０２            ＣＰＵ
４０３            操作入力部
４０４            表示部
４０５            表示駆動回路
４０６            ＲＯＭ
４０７            内部ＲＡＭ
４１２            計時部
４１７            無線送受信部
５００      ヘッドホン型携帯電話
６００      イヤホン型携帯電話
７００      肩掛型携帯電話
８００      放音再生システム
【図１】
0004182618.tif 000002
【図２】
0004182618.tif 000003
【図３】
0004182618.tif 000004
【図４】
0004182618.tif 000005
【図５】
0004182618.tif 000006
【図６】
0004182618.tif 000007
【図７】
0004182618.tif 000008
【図８】
0004182618.tif 000009
【図９】
0004182618.tif 000010
【図１０】
0004182618.tif 000011
【図１１】
0004182618.tif 000012
【図１２】
0004182618.tif 000013
【図１３】
0004182618.tif 000014
【図１４】
0004182618.tif 000015
【図１５】
0004182618.tif 000016
【図１６】
0004182618.tif 000017
【図１７】
0004182618.tif 000018
【図１８】
0004182618.tif 000019
【図１９】
0004182618.tif 000020
【図２０】
0004182618.tif 000021
【図２１】
0004182618.tif 000022
【図２２】
0004182618.tif 000023
【図２３】
0004182618.tif 000024
【図２４】
0004182618.tif 000025
【図２５】
0004182618.tif 000026
【図２６】
0004182618.tif 000027